(57)【要約】【課題】２個の端子装置に差込接続された電線の鎖錠解除操作を１個の解除ボタンで個別に行うことができる端子装置を提供する。【解決手段】ケース３に形成された電線４を挿入するための電線挿入孔５の内側に端子板６と、端子板６に電線４を押圧して電気的に接続するとともに電線４を鎖錠する鎖錠バネ７と、押し操作により鎖錠バネ７の鎖錠を解除する解除ボタン８とを備え、２個の鎖錠バネ７を近接させて配置して成る端子装置１において、２個の解除ボタン８を個別に可動するように弾性連結片８ｃにより一体に連結形成する。【選択図】図５
2007287587.tif 000002
【特許請求の範囲】
【請求項１】
ケースに形成された電線を挿入するための電線挿入孔の内側に端子板と、該端子板に前記電線を押圧して電気的に接続するとともに前記電線を鎖錠する鎖錠バネと、押し操作により前記鎖錠バネの鎖錠を解除する解除ボタンとを備え、２個の前記鎖錠バネを近接させて配置して成る端子装置において、２個の前記解除ボタンを個別に可動するように弾性連結片により一体に連結形成したことを特徴とする端子装置。
【発明の詳細な説明】
【技術分野】
【０００１】
本発明は、速結式の端子装置に関する。
【背景技術】
【０００２】
一般にコンセントやスイッチなどの配線器具に用いられる速結式の端子装置は、ケースに形成された電線を挿入するための電線挿入孔の内側に端子板と、端子板に電線を押圧して電気的に接続するとともに電線を鎖錠する鎖錠バネと、押し操作により押圧部が鎖錠バネの鎖錠を解除する解除ボタンとを備え、電源端子と送り端子を構成するために１個の端子板に２個の鎖錠バネを近接して配置し、これらの２個の鎖錠バネは１個の解除ボタンにより鎖錠が解除するようになっていた（例えば、特許文献１参照。）。
【０００３】
【特許文献１】特開平１０−１４４４２４号公報
【発明の開示】
【発明が解決しようとする課題】
【０００４】
従来の端子装置は鎖錠解除操作をすると電源端子と送り端子の両方の鎖錠を同時に解除する構造のため、両方の端子に接続された電線のどちらか一方側の電線だけを取り外したい場合があっても一方側の電線だけを取り外すことはできず、取り外す必要のない電線の鎖錠も一旦解除してしまうため、電線の接続が不確実になる虞があった。そこで、鎖錠バネごとに個別に解除ボタンを設けることにより取り外したい電線だけの鎖錠を解除できるようになるが、この場合、部品点数が増加し、組立性が悪くなるという問題があった。
【課題を解決するための手段】
【０００５】
本発明は、ケースに形成された電線を挿入するための電線挿入孔の内側に端子板と、端子板に電線を押圧して電気的に接続するとともに電線を鎖錠する鎖錠バネと、押し操作により鎖錠バネの鎖錠を解除する解除ボタンとを備え、２個の鎖錠バネを近接させて配置して成る端子装置において、２個の解除ボタンを個別に可動するように弾性連結片により一体に連結形成したことを特徴とする。
【発明の効果】
【０００６】
本発明は、２個の端子装置に差込接続された電線の鎖錠解除操作を１個の解除ボタンで個別にできるので抜き取る必要のない電線の鎖錠を解除することなく必要な電線だけを抜き取ることができ、また、部品点数を削減するとともに、組立性が向上するという効果がある。
【発明を実施するための最良の形態】
【０００７】
ケースに形成された電線を挿入するための電線挿入孔の内側に端子板と、端子板に電線を押圧して電気的に接続するとともに電線を鎖錠する鎖錠バネと、押し操作により鎖錠バネの鎖錠を解除する解除ボタンとを備え、２個の鎖錠バネを近接させて配置して成る端子装置において、２個の解除ボタンを個別に可動するように弾性連結片により一体に連結形成する。
【実施例１】
【０００８】
本発明に係る端子装置の実施例１を図１〜図５の添付図面に基づいて説明する。
【０００９】
速結式の端子装置１はコンセントやスイッチなどの埋め込み式の配線器具２に用いられ、配線器具２のケース３の背面に形成された電線４を差込接続するための電線挿入孔５と、電線挿入孔５の内側に配設された端子板６と、端子板６に電線４を押圧して電気的に接続するとともに電線４が抜けないように鎖錠する鎖錠バネ７と、鎖錠バネ７の鎖錠を解除する解除ボタン８とで構成される。
【００１０】
配線器具２に設けられる端子装置１は、通常、電源端子と送り端子を構成するために２個１組として電圧極の端子装置と中性極の端子装置とで２組が配設され、同じ極性の２個の端子装置で１個の端子板６と解除ボタン８とを共通化している。
【００１１】
即ち、端子板６は主板部６ａの両端に折曲形成された外側片６ｂ，６ｂと、主板部６ａの中央に設けられた中央片６ｃとで２個の鎖錠バネ７，７を収容可能な略Ｅ字状に形成され、外側片６ｂの内壁の延長線上に電線挿入孔５が夫々形成されている。端子板６に収容される鎖錠バネ７はベース片７ａの一端に鋭角に設けられて先端が電線４に食い込んで鎖錠する鎖錠片７ｂと、ベース片７ａの他端に略Ｓ字状に設けられて電線４を端子板６に押圧する押圧片７ｃとで形成され、端子板６の中央片６ｃに鎖錠バネ７のベース片７ａを当接させるとともに、端子板６の外側片６ｂの内壁に鎖錠バネ７の鎖錠片７ｂと押圧片７ｃを対向させるようにして端子板６に鎖錠バネ７が配置される。
【００１２】
また、解除ボタンは、ケース３背面の電線挿入孔５の近傍に形成された解除ボタン孔９から突出して押し操作により解除操作する１対の操作部８ａの先端に鎖錠バネ７の鎖錠片７ｂに当接して鎖錠片７ｂをベース片７ａに対して鋭角に撓ませるように押圧する解除部８ｂが夫々形成され、これら２個の解除ボタンは操作方向に個別に可動できるように略Ｕ字状の弾性連結片８ｃで一体に連結形成されて１個の解除ボタン８となっている。
【００１３】
このように形成された端子装置１は電線挿入孔５に電線４を差し込むだけで鎖錠バネ７の鎖錠片７ｂが電線４に食い込んで抜けないように鎖錠されるとともに、鎖錠バネ７の押圧片７ｃが電線４を端子板６の外側片６ｂに押圧して電気的に接続するようになっている。
【００１４】
また、端子装置１から電線４を抜き取るには、図５の上側のドライバー１０で抜き取る様子に示すように解除ボタン８の一方の操作部８ａを押し込むことにより、弾性連結片８ｃが撓んで押し込んだ操作部８ａの先端に形成された解除部８ｂだけが移動し、鎖錠バネ７の鎖錠片７ｂを押圧して撓ませる。これにより電線４の鎖錠が解除するので操作部８ａを押し込み続けて鎖錠片７ｂを撓ませた状態で電線４を引き抜くことができる。このように端子装置１は鎖錠バネ７の解除操作を個別にできるので電源端子と送り端子の両方に電線４が接続されている場合に抜き取る必要のない電線４の鎖錠を解除することなく、抜き取りたい電線４だけを抜き取ることができる。尚、図５の下側のドライバー１０で抜き取る様子に示すように解除ボタン８の両方の操作部８ａ，８ａを同時に押し込むことで両方の鎖錠バネ７，７の鎖錠を解除できるので両方の電線４，４を一括して抜き取ることも可能である。
【図面の簡単な説明】
【００１５】
【図１】本発明に係る端子装置を備えた配線器具の背面図である。
【図２】図１のＡ−Ａ線断面図である。
【図３】本発明に係る端子装置の解除ボタンを示す斜視図である。
【図４】図２の配線器具の断面図において、端子装置に電線を接続する様子を示している。
【図５】図２の配線器具の断面図において、端子装置から電線を抜き取る様子を示している。
【符号の説明】
【００１６】
１    端子装置
３    ケース
４    電線
５    電線挿入孔
６    端子板
７    鎖錠バネ
７ａ    ベース片
７ｂ    鎖錠片
７ｃ    押圧片
８    解除ボタン
８ａ    操作部
８ｂ    解除部
８ｃ    弾性連結片
９    解除ボタン孔
【図１】
2007287587.tif 000003
【図２】
2007287587.tif 000004
【図３】
2007287587.tif 000005
【図４】
2007287587.tif 000006
【図５】
2007287587.tif 000007